【事件の表示】
　平成　９年特許願第　２８２５２号「液晶表示装置の製造方法」拒絶査定に対する審判事件〔平成１０年　８月１１日出願公開、特開平１０−２１３８１７、請求項の数（２）〕について、次のとおり審決する。
【結　論】
　原査定を取り消す。
　本願の発明は、特許すべきものとする。
【理　由】
１．手続きの経緯・本願発明の要旨
　本願は、平成９年１月２９日の出願であって、その発明は、平成１２年１０月２４日付け及び平成１３年２月１５日付けの手続補正書により補正された明細書及び図面の記載からみて、その特許請求の範囲の請求項１及び２に記載されたとおりのものと認められ、そのうち請求項１に係る発明は次の通りである。
「アクティブマトリクスパネル複数個分に対応する大きさの基板上に複数のパネル形成領域を設け、前記複数のパネル形成領域を各単体に分断してアクティブマトリクスパネルを形成する液晶表示装置の製造方法において、前記基板上に前記パネル形成領域を上下方向と左右方向の少なくともいずれか一の方向に直接隣接して形成し、該パネル形成領域に、複数の画素電極及びこれらの画素電極にそれぞれ接続された薄膜トランジスタと、該薄膜トランジスタに走査信号を供給するために該薄膜トランジスタのゲート電極に接続された複数の走査ラインと、データ信号を供給するための複数のデータラインと、該薄膜トランジスタに前記走査信号およびデータ信号を供給するための半導体チップを搭載する半導体チップ搭載領域と、該半導体チップ搭載領域へ搭載する半導体チップに駆動信号を供給する複数の入力ラインを形成し、当該パネル形成領域に直接隣接するパネル形成領域の前記複数の走査ラインおよび複数のデータラインを共通に接続する陽極酸化用給電ラインの一部を当該パネル形成領域に形成するとともに、該陽極酸化用給電ラインの一部が当該パネル形成領域の前記複数の入力ラインにおける１つの入力ラインの一部を兼用するように前記陽極酸化用給電ラインを形成し、前記陽極酸化用給電ラインを一方の電極として陽極酸化処理を行うことにより、少なくとも前記ゲート電極の表面に陽極酸化膜を形成することを特徴とする液晶表示装置の製造方法。」（以下、「本願発明」という。）
　
２．引用例
　これに対し、原審における拒絶の理由に引用された、特開平５−１００２４２号公報（以下、「刊行物１」という。）には、
「【作用】ＩＣ実装部から見た表示部の方向と、ＩＣ実装部から見た外部接続部の方向とを直角方向とし、さらに駆動電極陽極酸化用共通電極をＩＣ実装部から見て表示部と反対方向の領域に配置することによって、液晶表示装置の外形寸法の縮小を図り、さらに共通電極切り落とし部の切断除去工程が不要となり、さらにそのうえ切り離しに必要な基板面積の削減を達成できる。
【００２９】【実施例】以下図面を用いて本発明の実施例を説明する。図１に本発明の実施例における液晶表示装置の平面図を示す。
【００３０】第１の基板１と第２の基板２との上には、駆動電極３、４を形成する。表示部５は、この駆動電極３、４によってアクセスされている。
【００３１】駆動ＩＣ６、７は、ＩＣ実装部８、９の領域に、第１の基板１と第２の基板２上に、直接ＣＯＧ実装法により実装する。ＣＯＧ実装法としては、たとえば駆動ＩＣ６、７に形成した突起電極に導電性接着剤を塗布し、これを第１の基板１と第２の基板２とに接続する方法で行う。
【００３２】駆動電極３、４は、駆動ＩＣ６、７の出力端子２２、２３に接続する。
【００３３】第１の基板１と第２の基板２上には、入力電極１０、１１を形成する。この入力電極１０、１１は、それぞれ駆動ＩＣ６、７の入力端子２０、２１と接続している。
【００３４】外部から信号や電圧を供給するために、駆動ＩＣ６、７の入力電極１０、１１は、外部接続部１２、１３の領域で外部配線１４、１５と接続している。」（段落００２８〜段落００３４）、
「図４に示す本発明の液晶表示装置における多数個取りの配置は、図３に示す従来例と比べて、外部接続部６４の配置が異なり、ＩＣ実装部６５からみて表示部６３とほぼ直交方向に、外部接続部６４を基板６０に設けている。したがって、外部接続部６４は、駆動電極６６を陽極酸化するための駆動電極陽極酸化用共通電極６２と接しない。
【００３９】このような本発明の配置では、従来例を示す図３のように、特別な共通電極切り落とし部５７の領域は必要ではなく、スクライブ線６１で基板６０を切断すれば良い。たとえば、第２列６８の駆動電極陽極酸化用共通電極６２は、隣接する第１列６７の液晶パネル上に、外部接続部６４を妨害することなく配置することができる。同様に第３列６９の駆動電極陽極酸化用共通電極６２も、隣接する第２列６８の液晶パネル上に、外部接続部６４を妨害することなく配置できる。」（段落００３８〜段落００３９）と記載され、
図４には、基板上のスクライブ線で囲まれた領域に、表示部及び駆動電極酸化用共通電極を有している液晶表示装置の多数個取りパタンが示されている。
　また、原審における拒絶の理由に引用された、特開平８−２８６２０１号公報（以下、「刊行物２」という。）には、
「図５において、液晶表示素子を構成する一方の下部透明絶縁基板ＳＵＢ１は図７に示した上部透明絶縁基板ＳＵＢ２よりも大きな面積を有し、後の切断工程により、図中点線で示した切断線ＣＴ１において切断され、その外方部は放棄される。
【００４２】透明絶縁基板ＳＵＢ１の面上には、まず、その周辺を除く中央部に、ｘ方向に延在し、ｙ方向に並設されるゲート線（走査信号線）ＧＬからなるゲート線群と、ｙ方向に延在し、ｘ方向に並設されるドレイン線（映像信号線）ＤＬからなるドレイン線群とが形成されている。これらゲート線群の各ゲート線ＧＬおよびドレイン線群の各ドレイン線ＤＬは、いずれも図中点線で示した切断部である切断線ＣＴ１を越えて延在して形成されている。なお、図示はしていないが、このゲート線群とドレイン線群とは、層間絶縁膜（ＧＩ）等を介して互いに絶縁されている。
【００４３】また、ゲート線群とドレイン線群とが交差している領域により、表示領域が構成され、互いに隣接する２本のゲート線ＧＬと２本のドレイン線ＤＬとで囲まれる領域により、画素領域が形成されている。すなわち、それぞれの画素領域には、スイッチング素子としての薄膜トランジスタ（ＴＦＴ）と画素電極とが形成され、ゲート線ＧＬに走査信号が供給されることにより、薄膜トランジスタがオンし、このオンされた薄膜トランジスタを介してドレイン線ＤＬからの映像信号が画素電極に供給されるようになっている。
【００４４】各ドレイン線ＤＬは１本おきに互い違いの方向に、切断線ＣＴ１を越えて延在され、それぞれ図中ｘ方向に延在するドレイン短絡配線（コモンドレイン線）ＳＨｄに後で詳述する短絡配線ＳＨｃおよび（ドレイン線駆動用ＩＣへの）入力配線Ｔｄを介して接続されている。なお、液晶表示素子完成後は、もちろん短絡を解除しなければ動作しないので、ドレイン短絡配線ＳＨｄはそれぞれ後の工程で切断破棄される切断線ＣＴ１の外側の透明絶縁基板ＳＵＢ１の面に形成されている。ドレイン線ＤＬと接続されたドレイン短絡配線ＳＨｄとドレイン線ＤＬとの間にはドレイン線駆動用ＩＣが搭載され（図１、図５、図６参照）、この搭載領域（図１において、符号ＩＣを付した一点鎖線で示す）には、図５、図１に示すように、短絡配線ＳＨｃが島状に設けられている。そして、ドレイン線ＤＬと、ドレイン線駆動用ＩＣへの複数本の入力配線Ｔｄとが短絡配線ＳＨｃに接続され、駆動用ＩＣ毎に短絡されている。このように、各ドレイン線ＤＬや入力配線Ｔｄに発生した静電気を、短絡配線ＳＨｃとドレイン短絡配線ＳＨｄを介して分散するようになっている。
【００４５】一方、図５において、各ゲート線ＧＬの形成領域のうち、切断線ＣＴ１の内側の領域で図中上側の切断線ＣＴ１と近接する部分において、ゲート線駆動用ＩＣの搭載領域（図５では、符号ＩＣを付した点線で１つを例示する。図１参照）が設けられている。各ゲート線ＧＬは、その延在方向における該搭載領域と反対側で、切断線ＣＴ１を越えたその延在部が、図中ｙ方向に延在するゲート短絡配線（陽極化成用共通線）ＡＯを介して接続されている。なお、液晶表示素子完成後は、短絡を解除しなければ動作しないので、ゲート短絡配線ＳＨｇ、ＡＯはそれぞれ後の工程で切断破棄される切断線ＣＴ１の外側の透明絶縁基板ＳＵＢ１の面に形成されている。本例では、上記ドレイン線ＤＬ側とは異なり、ゲート線ＧＬ側では、島状の短絡配線ＳＨｃは設けていない。この理由は、ゲート線駆動用ＩＣが片側だけに配置され、反対側（ゲート線駆動用ＩＣを配置していない側）の陽極化成用共通線ＡＯによって、ゲート線ＧＬを相互に短絡させることができるためである。ただし、ゲート線駆動用ＩＣを両側に配置する場合や、ゲート短絡配線ＡＯを配置しない場合は、ゲート線ＧＬを短絡配線ＳＨｃを介して、ゲート短絡配線ＳＨｇにつなげる必要がある。」（段落００４１〜００４５）と記載され、
図１には、ドレイン短絡配線ＳＨｄ及びゲート短絡配線ＳＨｇから駆動ＩＤ実装位置に伸びる入力配線Ｔｄを備えた液晶表示素子が、図５には、基板上に示された切断線ＣＴ１の外側にゲート短絡配線（陽極化成用共通線）ＡＯを備えた下部透明絶縁基板ＳＵＢ１が、それぞれ示されている。
　
３．対比・判断
(1) 請求項１について
　本願発明と刊行物１または２記載の発明を対比すると、刊行物２記載の発明における「ドレイン短絡配線ＳＨｄ」及び「ゲート短絡配線ＳＨｇ」は、いずれも本願発明における「陽極酸化用給電ライン」に相当するものと認められるので、本願発明の構成要件である「陽極酸化用給電ラインの一部を当該パネル形成領域に形成するとともに、該陽極酸化用給電ラインの一部が当該パネル形成領域の前記複数の入力ラインにおける１つの入力ラインの一部を兼用するように前記陽極酸化用給電ラインを形成」する点は、刊行物１及び２に記載も示唆もされておらず、しかも、本願発明は、上記構成により、審判請求書記載の顕著な作用効果を奏するものである。
　してみると、本願発明は、刊行物１及び２に基づいて当業者が容易に発明できたものではない。
　
(2) 請求項２について
　請求項２に係る発明は、請求項１にかかる発明をさらに限定するものであるから、請求項１にかかる発明と同じ理由により、刊行物１及び２に基づいて当業者が容易に発明できたものではない。
　
４．むすび
　したがって、請求項１及び２に係る発明は、上記刊行物１及び２に記載された発明に基づいて当業者が容易に発明をすることができたものとすることはできない。
　また、他に本願を拒絶すべき理由を発見しない。
　よって、結論のとおり審決する。